(57)【要約】【課題】  絞り羽根に光学フィルタを固定したカメラ用光量調整装置において、ＮＤフィルタの使用面積を削減して、装置の小型化、薄型化を図ると共に、ＮＤフィルタを絞り羽根へ正確に固定する。【解決手段】  支持孔２１を中心に回動して開口部３１を覆うことにより光量を調整する絞り羽根２０を樹脂材料にて射出成形する際、光量を調整するＮＤフィルタ１０の外周端面１１にインサート成形することによって、ＮＤフィルタ１０と絞り羽根２０とを一体的に形成し、ＮＤフィルタ１０の略全面の領域を光量調整のために使用する。 【選択図】  図１
2007225719.tif 000002
【特許請求の範囲】
【請求項１】
光学フィルタが固定される羽根部材によって光量を調整するカメラ用光量調整装置であって、
前記羽根部材は、樹脂材からなり、且つ前記光学フィルタの外周端面に樹脂材を成型することにより一体的に形成されることを特徴とするカメラ用光量調整装置。
【請求項２】
前記羽根部材は、前記光学フィルタをインサート成型することにより形成されることを特徴とする請求項１に記載のカメラ用光量調整装置。
【請求項３】
前記羽根部材は、光学フィルタが羽根部材から突出していないことを特徴とする請求項２に記載のカメラ用光量調整装置。
【請求項４】
前記羽根部材は、前記光学フィルタの外周縁部に張出部が設けられていることを特徴とする請求項２ないし請求項３に記載のカメラ用光量調整装置。
【発明の詳細な説明】
【技術分野】
【０００１】
本発明は、デジタルカメラ等に適用されて光量の調整を行うカメラ用光量調整装置に関し、特に、絞り羽根あるいは絞り兼用シャッタ羽根等の羽根部材に対して光量を調整する光学フィルタ（ＮＤフィルタ）を固定したカメラ用光量調整装置に関する。
【背景技術】
【０００２】
従来より、プレス成型等により形成された絞り羽根に対して、光学フィルタ（ＮＤフィルタ）を固定するにあたり、光学フィルタには絞り羽根と重なる部分が形成され、一部に接着剤溜まり用の凹部を形成し、この凹部内に接着剤を溜めて、光学フィルタを絞り羽根に貼着するものが知られている（例えば、実開昭６０−１３５７２９号公報参照）。
また、絞り羽根に対して、光学フィルタ（ＮＤフィルタ）を位置決め固定するにあたり、光学フィルタには絞り羽根と重なる部分が形成され、一部に固定用孔と位置決め孔を形成し、絞り羽根の固定用突起と位置決め突起の協働によって、光学フィルタを絞り羽根に位置決めするとともに固定するものが知られている（例えば、特開２００２−３６５６９３号公報参照）。
【０００３】
【特許文献１】実開昭６０−１３５７２９号公報
【特許文献２】特開２００２−３６５６９３号公報
【発明の開示】
【発明が解決しようとする課題】
【０００４】
しかしながら、従来の構成においては、上記特許文献１では接着剤を用いて絞り羽根に光学フィルタを固定するので、接着作業に際して、接着剤が糸状に伸びて絞り羽根の開口部近傍に付着し、あるいは、接着剤溜まりからはみ出た接着剤が他の領域に付着する等の問題があり、接着部の周囲に比較的大きな余裕代を設けて広い面積で両者を重ね合わす必要があった。そのため、光学フィルタは、絞り羽根の開口に対して大きく形成する必要があった。また、接着剤が固化する前に光学フィルタが動いてしまうと、位置ずれ、浮き等の取付け不良となる問題があった。また、治具を用いて両者の位置合わせを行う必要があった。上記特許文献２では光学フィルタを絞り羽根に位置決めしつつ固定するために、少なくとも２箇所の突起部並びに突起部に対応する孔部を絞り羽根と光学フィルタの重ね合わせた部分に設置しており、そのため、光学フィルタは、絞り羽根の開口に対して大きく形成する必要があった。
【０００５】
さらに、近年、光学フィルタの厚さが薄くなってきており、光学フィルタが一箇所で固定されている場合では、絞り羽根駆動時、外的振動、温度変化等によって固定されていない部分が浮いてしまう恐れがある。
【０００６】
本発明は、上記の点に鑑みてなされたものであり、その目的とするところは、光学フィルタの使用面積を削減して、装置の小型化、薄型化を図ると共に、光学フィルタを羽根部材へ正確に固定できるカメラ用光量調整装置を提供することにある。
【課題を解決するための手段】
【０００７】
本発明のカメラ用光量調整装置は、光学フィルタが固定される羽根部材によって光量を調整するカメラ用光量調整装置であって、上記羽根部材は、樹脂材からなり、且つ光学フィルタの外周端面に樹脂材を成型することにより一体的に形成される、ことを特徴としている。この構成によれば、羽根部材と光学フィルタを接着固定するための両者の重ね合わせが必要なくなり、光学フィルタは、羽根部材の開口と同様の大きさであれば良いので、光学フィルタの使用面積を削減することができる。また、光学フィルタに羽根部材を金型で一体成型するので、光学フィルタを取り付ける際の不良を防止できると共に、羽根部材と光学フィルタを正確に固定できる。
【０００８】
上記構成において、羽根部材は、光学フィルタをインサート成型することにより形成されることを特徴とする。この構成によれば、光学フィルタを金型内に装填し、羽根部材を成型するので、羽根部材と光学フィルタの相対的な位置を金型によって位置決めでき、取り付け作業による不良を防止できると共に、羽根部材と光学フィルタを正確に固定できる。
【０００９】
上記構成において、羽根部材は、光学フィルタが羽根部材から突出しないことを特徴とする。この構成によれば、羽根部材が作動したとき、光学フィルタに基板等との擦れによる傷が付くことを確実に防止できる。
【００１０】
上記構成において、羽根部材は、光学フィルタの外周縁部に張出部が設けられていることを特徴とする。この構成によれば、成型後の光学フィルタの反り及び羽根部材からの浮きが防止され、羽根部材に光学フィルタを確実に固定できる。羽根部材が動作したとき、光学フィルタに基板等との擦れによる傷が付くことを防止できる。
【発明の効果】
【００１１】
光学フィルタは、絞り羽根の開口と同様の大きさであれば良いので、両者の重ね合わせが必要なく、光学フィルタの使用面積を削減することができ、装置の小型化、薄型化が可能である。さらに、金型で光学フィルタと絞り羽根を固定するので、光学フィルタの取付け不良を防止できると共に、両者を正確且つ確実に固定できる。
【発明を実施するための最良の形態】
【００１２】
以下、本発明の最良の実施形態について、図面参照しつつ説明する。図１は、本発明に係るカメラ用光量調整装置の一実施例を示す図である。ここで、図１（ｂ）は、図１（ａ）の破線で切断してＡから見た断面図である。
【００１３】
図１に示すように、本実施形態のカメラ用光量調整装置は、光学フィルタとしてのＮＤ（ニュートラル  デンシティー）フィルタ１０と、羽根部材としての露光用の開口部を絞る絞り羽根２０とを備えている。ＮＤフィルタ１０は、略円板状で、約０．１ミリメートル程の厚さに形成されており、光の色を変化させることなく光の強度すなわち光量を減少させる（調整する）ものである。ＮＤフィルタ１０は濃度フィルタとも称されている。絞り羽根２０は、約０．１ミリメートル程の厚さに形成されたものであり、基板の支持軸等に回動自在に軸支される支持孔２１と、駆動源の駆動ピン等が挿入される円弧状の長孔２２が形成される。絞り羽根２０は、樹脂材料を射出成形したものであり、ＮＤフィルタ１０をインサート成形することにより、ＮＤフィルタ１０と絞り羽根２０とが一体的に形成される。そして、絞り羽根２０と一体的に形成されたＮＤフィルタ１０は、カメラ等に組み込むことにより、露光用の開口を通過する光量を調整して、光の回析現象等を防止する役割をなす。
【００１４】
図１（ａ）及び図１（ｂ）のように、ＮＤフィルタ１０はＮＤフィルタ１０の外周端面１１で、且つ全周に及んで、光の漏れの無いように隙間無く絞り羽根２０が形成される。ＮＤフィルタ１０の外周端面１１に絞り羽根２０を形成することにより、ＮＤフィルタ１０の全面の領域を光の回析現象を防止することに使用でき、無駄が無い。通常ＮＤフィルタは大きな一枚のシート状から所望の大きさに型抜きするものであり、ＮＤフィルタの面積が小さいほど一枚のシート状からの抜き数は多く取れることになり、製造コストの削減になる。さらに、図１（ｂ）に示すように、絞り羽根２０の厚さはＮＤフィルタ１０の厚さと同一に形成され、その表面は均一な平面になっている。
【００１５】
ここで、ＮＤフィルタ１０を絞り羽根２０に一体化するインサート成形について説明する。絞り羽根２０を射出成形する金型は、略円板状のＮＤフィルタ１０を金型内の定位置に位置決めされて装填できるように形成され、ＮＤフィルタ１０を装填後、金型を組み立てて樹脂材を金型内に射出する。このとき金型の温度は約１００度であって、射出する樹脂材料はそれより高い。そして、金型の温度が下がって樹脂材料が凝固すれば、ＮＤフィルタ１０の外周端面１１が羽根部材２０に一体化される。つまり、ＮＤフィルタ１０の外周端面１１に羽根部材２０が成形される。このように、ＮＤフィルタ１０と絞り羽根２０は、絞り羽根２０を成形する金型で一体成形されるので、絞り羽根２０に対してＮＤフィルタ１０を正確な位置に一体化でき、さらに一体化の際に絞り羽根２０に対してＮＤフィルタ１０の位置がずれることが無い。
【００１６】
図２は、図１に示すカメラ用光量調整装置を基板３０に取り付けた状態を示す図である。基板３０は、基板３０の略中央部に露光用の開口部３１、駆動源の駆動ピン等が挿通される円弧状の長孔３２が形成される。さらに、支持軸３３、規制突部３４、規制突部３５が突設され、支持軸３３には絞り羽根２０の支持孔２１が挿入される。絞り羽根２０は、基板３０の面上を摺動するように、支持軸３３を中心として規制突部３４と規制突部３５の間を回動し、絞り羽根２０の側面２３が規制突部３５に当接したとき、ＮＤフィルタ１０が開口部３１の全体を覆うようにされている。
【００１７】
図３は、図２（ａ）に示す基板３０の裏側を紙面裏側から見た状態を示す図であって、駆動源であるアイリスモータ４０を示す。アイリスモータ４０は、磁性体からなるヨーク４１、ヨーク４１に巻回されるコイル４２、ヨーク４１の間に介在するマグネットアーム４３で構成され、これらは図示しないブラケットに支持される。ヨーク４１は、磁性体をＵ字状に形成されおり、Ｕ字状の各端部４５、４６は、間隔をあけて対向している。マグネットアーム４３は、基部である回動軸４７側がＮ極及びＳ極に着磁されたマグネットになっており、端部側に図３の紙面裏面に向かって駆動ピン４４が突設されている。そして、駆動ピン４４は、基板３０の長孔３２を挿通し、絞り羽根２０の長孔２２に係合されている。
【００１８】
図示しない外部からコイル４２に電圧を供給すると、ヨーク４１のＵ字状の各端部４５、４６は磁気化し、各端部４５、４６の間に介在するマグネットアーム４３のマグネットとの磁力により、マグネットアーム４３が回動軸４７を中心に回動する。そして、このマグネットアーム４３の回動によって、駆動ピン４４が長孔２２内を摺動し、絞り羽根２０が回動する。これにより、ＮＤフィルタ１０は、開口部３１を覆う位置と、開口部３１から退避した位置との間を移動可能となっている。
【００１９】
前述の実施例では、ＮＤフィルタ１０と絞り羽根２０は均一な面を構成しているとしたが、絞り羽根２０の摺動する面からＮＤフィルタ１０が突出しなければ良い。また、ＮＤフィルタ１０の厚さは絞り羽根２０の厚さと同一としたが、絞り羽根２０の摺動する面からＮＤフィルタ１０が突出しなければ同一でなくとも良い。絞り羽根２０の摺動する面からＮＤフィルタ１０の面が少しでも窪んでいると好適である。
【００２０】
図４及び図５は、本発明に係るカメラ用光量調整装置の他の実施例を示すものである。前述の実施形態の光学フィルタとしてのＮＤフィルタと、羽根部材としての露光用の開口部を絞る絞り羽根を変更した以外は同様の構成をなすものであり、同一の構成については同一の符号を付して説明を省略する。ここで、図４（ｂ）は、図４（ａ）の破線で切断してＢから見た断面図である。
【００２１】
ＮＤフィルタ５０は、略円板状に形成される。絞り羽根６０は、約０．１ミリメートル程の厚さに形成されたものであり、ＮＤフィルタ５０の厚さよりも厚くなっている。絞り羽根６０は、樹脂材料を射出成形したものであり、ＮＤフィルタ５０をインサート成形することにより、ＮＤフィルタ５０と絞り羽根６０とが一体的に形成される。そして、絞り羽根６０と一体的に形成されたＮＤフィルタ５０は、カメラ等に組み込むことにより、露光用の開口を通過する光量を調整して、光の回析現象等を防止する役割をなす。
【００２２】
図４（ｂ）に示すように、ＮＤフィルタ５０はＮＤフィルタ５０の外周端面５１に絞り羽根６０が形成され、絞り羽根６０はＮＤフィルタ５０の外周縁部の上下に張出部６１が延在している。さらに、略円板上のＮＤフィルタ５０の全周に及んで、光の漏れの無いように隙間無く絞り羽根６０が形成される。つまり、ＮＤフィルタ５０の外周縁部を絞り羽根６０の凹状部で挟んでいる状態にされる。このようにすることにより、ＮＤフィルタ５０が絞り羽根６０に強固に固定される。また、ＮＤフィルタ５０の略全面の領域を光の回析現象を防止することに使用でき、無駄が無い。通常ＮＤフィルタは大きな一枚のシート状から所望の大きさに型抜きするものであり、ＮＤフィルタの面積が小さいほど一枚のシート状からの抜き数は多く取れるので、製造コストの削減になる。
【００２３】
図４（ｂ）に示すように、絞り羽根６０の厚さはＮＤフィルタ５０の厚さより厚く形成され、絞り羽根６０の表面は均一な平面にされている。このようにＮＤフィルタ５０をインサート成形した絞り羽根６０を、図２に示す基板３０に組み込むことにより、ＮＤフィルタ５０が基板３０に擦れて、擦り傷等が発生することを防止できる（図５参照）。
【００２４】
絞り羽根６０は、図４（ｂ）に示すようにＮＤフィルタ５０の上下両面の外周縁部に張出部６１を形成したが、どちらか片面側のみに設けても良い。また、絞り羽根６０は、略円板状の全周に亘って張出部６１を形成したが、一部のみでも良い（図１０参照）。
【００２５】
図６及び図７は、本発明に係るカメラ用光量調整装置の他の実施例を示すものである。前述の実施形態の光学フィルタとしてのＮＤフィルタと、羽根部材としての露光用の開口部を絞る絞り羽根を変更した以外は同様の構成をなすものであり、同一の構成については同一の符号を付して説明を省略する。ここで、図６（ｂ）は、図６（ａ）の破線で切断してＣから見た断面図である。
【００２６】
ＮＤフィルタ１０は、略円板状で、約０．１ミリメートル程の厚さに形成され、絞り羽根７０は、約０．１ミリメートル程の厚さに形成される。絞り羽根７０は、樹脂材料を射出成形したものであり、ＮＤフィルタ１０をインサート成形することにより、ＮＤフィルタ１０と絞り羽根７０とが一体的に形成される。そして、絞り羽根７０と一体的に形成されたＮＤフィルタ１０は、カメラ等に組み込むことにより、露光用の開口を通過する光量を調整して、光の回析現象等を防止する役割をなす。
【００２７】
図６（ｂ）に示すように、ＮＤフィルタ１０の外周端面１１には全周に亘って絞り羽根７０が形成される。さらに、ＮＤフィルタ１０の主面の上下外周縁部には、ＮＤフィルタ１０の全周に亘って外周端面１１から中心部に向かって張り出した張出部としての上リブ７１、下リブ７２が形成される。つまり、ＮＤフィルタ１０の外周縁部を絞り羽根７０の凹状部で挟んでいる状態にされる。絞り羽根７０の上リブ７１、下リブ７２の部分は、絞り羽根７０の他の部分より厚みが厚くなっている。これにより、ＮＤフィルタ１０には光の漏れのないように隙間無く絞り羽根７０が形成されると共に、ＮＤフィルタ１０が絞り羽根７０に強固に固定される。そして、一部厚みの増した絞り羽根７０は強度がアップされる。また、ＮＤフィルタ１０の略全面の領域を光の回析現象を防止することに使用でき、無駄が無い。通常ＮＤフィルタは大きな一枚のシート状から所望の大きさに型抜きするものであり、ＮＤフィルタの面積が小さいほど一枚のシート状からの抜き数は多く取れるので、製造コストの削減になる。
【００２８】
下リブ７２の下端はＮＤフィルタ１０の主面と平行であって、表面が均一な平面にされている。このようにＮＤフィルタ５０をインサート成形した絞り羽根７０を、図２に示す基板３０に組み込むことにより、ＮＤフィルタ１０が基板３０に擦れて、擦り傷等が発生することを防止できる（図７参照）。
【００２９】
絞り羽根７０は、上リブ７１、下リブ７２を形成したが、どちらか一方のみを設けても良い（図８及び図９参照）。また、絞り羽根７０は、略円板状の全周に亘って張出部としてのリブ７１、７２を形成したが、一部のみでも良い。
【図面の簡単な説明】
【００３０】
【図１】本発明に係るカメラ用光量調整装置の一実施形態を示すものであり、（ａ）は平面図、（ｂ）は断面図である。
【図２】図１に示すカメラ用光量調整装置を基板に取り付けて絞り装置として構成した実施形態を示すものであり、（ａ）は平面図、（ｂ）は断面図である。
【図３】図２に示す絞り装置の裏面を示す図である。
【図４】本発明に係るカメラ用光量調整装置の他の実施形態を示すものであり、（ａ）は平面図、（ｂ）は断面図である。
【図５】図４に示すカメラ用光量調整装置を基板に取り付けて絞り装置として構成した実施形態を示す断面図である。
【図６】本発明に係るカメラ用光量調整装置のさらに他の実施形態を示すものであり、（ａ）は平面図、（ｂ）は断面図である。
【図７】図６に示すカメラ用光量調整装置を基板に取り付けて絞り装置として構成した実施形態を示す断面図である。
【図８】図６に示すカメラ用光量調整装置のさらに他の実施形態を示す断面図である。
【図９】図６に示すカメラ用光量調整装置のさらに他の実施形態を示す断面図である。
【図１０】図４に示すカメラ用光量調整装置のさらに他の実施形態を示す平面図である。
【符号の説明】
【００３１】
１０，５０・・・ＮＤフィルタ（光学フィルタ）
２０，６０，７０・・・絞り羽根（羽根部材）
１１，５１・・・外周端面
６１・・・張出部
７１・・・上リブ（張出部）
７２・・・下リブ（張出部）
【図１】
2007225719.tif 000003
【図２】
2007225719.tif 000004
【図３】
2007225719.tif 000005
【図４】
2007225719.tif 000006
【図５】
2007225719.tif 000007
【図６】
2007225719.tif 000008
【図７】
2007225719.tif 000009
【図８】
2007225719.tif 000010
【図９】
2007225719.tif 000011
【図１０】
2007225719.tif 000012